(57)【要約】【課題】患者体表面に対する導子の位置を変更することなく、干渉部位（治療部位）を容易に変更できるようにする。【解決手段】対となる第１組の高周波電気信号がＡ１、Ａ２（例えば高周波数Ｈ＋低周波数α）とされ、対となる第２組の高周波電気信号がＢ１、Ｂ２（例えば周波数Ｈ）とされ、対となる第３組の高周波電気信号がＣ１、Ｃ２（例えば周波数Ｈ＋２α）とされる。患者の体表面に分散配置された６個の導子Ｊ１〜Ｊ６に対して、切換装置Ｋ２を介して高周波電気信号Ａ１〜Ｃ２が印加される。切換装置Ｋ２の各スイッチＲ１〜Ｒ３をそれぞれＯＦＦとした状態では、各導子Ｊ１〜Ｊ６に対する高周波電気信号の印加態様が図３のようになって、干渉部位はＴ１とされる。スイッチＲ１のみをＯＮとすると、導子と印加される高周波電気信号の種類が変更されて、干渉部位がＴ２、Ｔ３とされる（図４）。同様に、スイッチＲ１〜Ｒ３のＯＮ、ＯＦＦの切換えの組み合わせに応じて、干渉部位をＴ４、Ｔ５としたり（図５）、Ｔ６、Ｔ７にできる（図６）。【選択図】  図３
2004290219.tif 000002
【特許請求の範囲】
【請求項１】
それぞれ高周波電気信号を出力する一対の出力部を有する３組以上の高周波発生手段と、
前記高周波発生手段の組数の倍数以上の数だけ設けられ、それぞれ導子が着脱自在に接続される外部接続端子と、
前記高周波発生手段の各出力部を前記各外部出力端子に個別に接続すると共に、該出力部と外部接続端子との接続関係を変更する切換手段と、
前記切換手段の切換を制御する制御手段と、
を備え、
前記３組以上の高周波発生手段で発生される高周波電気信号の周波数が、全体として３種類以上となるように設定されている、
ことを特徴とする干渉低周波治療器。
【請求項２】
請求項１において、
前記高周波発生手段の組数が３組とされ、
前記外部接続端子の数が、前記高周波発生手段の組数の倍数に設定され、
前記各高周波発生手段で発生される高周波電気信号の周波数が、互いに相違するように設定されて全体で３種類となるように設定されている、
ことを特徴とする干渉低周波治療器。
【請求項３】
請求項１において、
前記高周波発生手段の組数が３組とされ、
前記外部接続端子の数が、前記高周波発生手段の組数の倍数よりも大きい数に設定され、
前記３組の高周波発生手段で発生される高周波電気信号の周波数が、互いに相違するように設定されて全体で３種類となるように設定されている、
ことを特徴とする干渉低周波治療器。
【請求項４】
それぞれ高周波電気信号を出力する一対の出力部を有する２組の高周波発生手段と、
前記高周波発生手段の組数の倍数よりも大きい数だけ設けられ、それぞれ導子が着脱自在に接続される外部接続端子と、
前記高周波発生手段の各出力部を前記各外部出力端子に個別に接続すると共に、該出力部と外部接続端子との接続関係を変更する切換手段と、
前記切換手段の切換を制御する制御手段と、
を備え、
前記２組の高周波発生手段で発生される高周波電気信号の周波数が、互いに相違するように設定されて全体として２種類となるように設定されている、
ことを特徴とする干渉低周波治療器。
【請求項５】
請求項１ないし請求項４のいずれか１項において、
前記制御手段は、前記出力部と外部接続端子との接続関係を自動的に順次切換えるように制御する、
ことを特徴とする干渉低周波治療器。
【請求項６】
請求項１ないし請求項４のいずれか１項において、
前記切換手段による切換をマニュアル指令する切換指令スイッチを備え、
前記制御手段は、前記切換指令スイッチが操作されたときに、前記出力部と外部接続端子との接続関係を切換えるように設定されている、
ことを特徴とする干渉低周波治療器。
【請求項７】
請求項１ないし請求項４のいずれか１項において、
前記出力部と外部接続端子との接続関係をマニュアル選択する選択指令スイッチと、
前記選択指令スイッチが操作されたときの前記出力部と外部接続端子との接続関係を記憶しておく記憶手段と、
をさらに備え、
前記制御手段は、前記記憶手段に記憶を行わせる機会を与えるために前記切換手段がとり得る接続関係を自動的に順次切換える第１制御手段と、該第１制御手段の制御終了後に、該記憶手段に記憶されている接続関係となるように前記切換手段を制御する第２制御手段とを有している、
ことを特徴とする干渉低周波治療器。
【請求項８】
請求項７において、
前記記憶手段が、１つの接続関係を記憶するように設定され、
前記第２制御手段が、前記記憶手段に記憶されている１つの接続関係となるように前記切換手段を制御する、ことを特徴とする干渉低周波治療器。
【請求項９】
請求項７において、
前記記憶手段が、２以上の接続関係を記憶するように設定され、
前記第２制御手段が、前記記憶手段に記憶されている複数の接続関係が自動的に順次切換わるように前記切換手段を制御する、
ことを特徴とする干渉低周波治療器。
【請求項１０】
請求項１ないし請求項９のいずれか１項において、
所定時間だけ、高周波電気信号同士の干渉を生じさせない無干渉状態をもとり得るようにされている、ことを特徴とする干渉低周波治療器。
【請求項１１】
請求項１ないし請求項１０のいずれか１項において、
前記切換手段が、前記高周波発生手段を内蔵した干渉低周波治療器本体の内部に設けられ、
前記外部接続端子が、前記干渉低周波治療器本体の外面に設けられている、
ことを特徴とする干渉低周波治療器。
【請求項１２】
請求項１ないし請求項１０のいずれか１項において、
外面に前記高周波発生手段に接続される入力端子および前記外部接続端子を有すると共に、内部に該入力端子と外部接続端子との接続関係を変更する前記切換手段が設けられたケーシングを備え、
前記ケーシングが、前記高周波発生手段を内蔵した干渉低周波治療器本体の外部に設けられている、
ことを特徴とする干渉低周波治療器。
【請求項１３】
請求項１ないし請求項１２のいずれか１項において、
前記切換手段が、複数の切換スイッチによって構成されている、ことを特徴とする干渉低周波治療器。
【請求項１４】
請求項１ないし請求項１３のいずれか１項において、
前記導子が、２個づつ吸引カップ内に装備され、
前記切換手段による接続関係の切換えが、前記吸引カップ内の２つの導子の間で行われる、
ことを特徴とする干渉低周波治療器。
【請求項１５】
それぞれ高周波電気信号を出力する一対の出力部を有する３組以上の高周波発生手段と、
前記高周波発生手段の組数の倍数以上の数だけ設けられ、それぞれ導子が着脱自在に接続される外部接続端子と、
前記高周波発生手段の各出力部を前記各外部出力端子に個別に接続すると共に、該出力部と外部接続端子との接続関係をマニュアル操作に応じて変更する切換手段と、
を備え、
前記３組以上の高周波発生手段で発生される高周波電気信号の周波数が、全体として３種類以上となるように設定されている、
ことを特徴とする干渉低周波治療器。
【請求項１６】
それぞれ高周波電気信号を出力する一対の出力部を有する２組の高周波発生手段と、
前記高周波発生手段の組数の倍数よりも大きい数だけ設けられ、それぞれ導子が着脱自在に接続される外部接続端子と、
前記高周波発生手段の各出力部を前記各外部出力端子に個別に接続すると共に、該出力部と外部接続端子との接続関係をマニュアル操作に応じて変更する切換手段と、
を備え、
前記２組の高周波発生手段で発生される高周波電気信号の周波数が、互いに相違するように設定されて全体として２種類となるように設定されている、
ことを特徴とする干渉低周波治療器。
【請求項１７】
干渉低周波治療器に接続して使用される干渉低周波治療器用切換ボックス装置であって、
ケーシングの外面に、２個一対となる入力端子が３組以上設けられると共に、導子が着脱自在に接続される外部接続端子が該入力端子の合計数以上の数だけ設けられ、
ケーシング内には、前記各入力端子と前記外部接続端子とを接続すると共に、該入力端子と外部接続端子との接続関係を変更する切換手段が設けられている、ことを特徴とする干渉低周波治療器用切換ボックス装置。
【請求項１８】
干渉低周波治療器に接続して使用される干渉低周波治療器用切換ボックス装置であって、
ケーシングの外面に、２個一対となる入力端子が２組設けられると共に、導子が着脱自在に接続される外部接続端子が該入力端子の合計数よりも大きい数だけ設けられ、
ケーシング内には、前記各入力端子と前記外部接続端子とを接続すると共に、該入力端子と外部接続端子との接続関係を変更する切換手段が設けられている、ことを特徴とする干渉低周波治療器用切換ボックス装置。
【発明の詳細な説明】
【０００１】
【発明の属する技術分野】
本発明は、干渉低周波治療器およびその切換ボックス装置に関するものである。
【０００２】
【従来の技術】
マッサージ等の患者の治療を行う低周波治療器の中には、高周波電気信号同士の干渉によって得られる低周波電気信号を利用した干渉低周波治療器がある。この干渉低周波治療器にあっては、患者体表面に電気的に接続される対となる同士（電極）を２組以上設けて、各組の導子に対して、互いに周波数が若干相違する高周波電気信号が印加される。各組の導子は、対となる導子同士を結ぶ直線がほぼ交差するように患者体表面に配設されて、この交差付近で生じる高周波電気信号同士の干渉によって得られる低周波成分によって治療が行われることになる。すなわち、上記交差部付近が、患者への刺激部位となる。そして、対となる導子の組数を３組以上とすることが、特許文献１に開示されている。この特許文献１には、上記交差部位における刺激に変化を与えるために、高周波電気信号の出力を変化させたり、高周波電気信号を変調することも開示されている。
【０００３】
【特許文献１】
特開平１１−２２１２９０号公報
【０００４】
【発明が解決しようとする課題】
ところで、従来の干渉低周波治療器にあっては、高周波電気信号同士の干渉が生じる患者への刺激部位が変化しないものとなる。すなわち、一旦導子を患者体表面の所望位置に配設した後は、この導子の位置を変更しない限り、干渉部位が同じとなって、常に同じ部位に刺激を与え続けることになる。そして、高周波電気信号の出力変化や変調処理を行っても、刺激部位そのものはなんら変化しないものとなる。
【０００５】
また一方、干渉低周波治療器の場合、干渉部位を正確に所望位置に設定することが難しい場合が多々生じる。すなわち、干渉低周波治療器にあっては、患者の身体内部の奥深い位置に干渉部位を設定することができるので、身体の奥深い位置への刺激付与ということが可能になるという利点を有する。この反面、患者の身体の内部の奥深い所望位置で干渉を生じさせるには、患者体表面に立体的な位置関係で配設する導子を適切に位置設定する必要があるが、この導子の位置設定が難しいものとなる。実際の治療現場においては、好ましい導子の配設位置を最終的に決定するには、高周波電気信号を印加しつつ（実際に干渉を生じさせて患者が受ける刺激の程度をみつつ）、導子の患者体表面への配設位置を少しづつずらして、もっとも刺激効果の高くなる導子の位置を思考錯誤でもって探っていく、という非常に面倒な手間を要するものとなっていた。
【０００６】
本発明は以上のような事情を勘案してなされたもので、その第１の目的は、患者体表面に対する導子の配設位置を変更することなく、干渉部位つまり刺激部位を容易に変化させることのできるようにした干渉低周波治療器を提供することにある。
本発明の第２の目的は、既存の干渉低周波治療器を有効に利用しつつ、患者体表面に対する導子の配設位置を変更することなく、干渉部位つまり刺激部位を容易に変化させることのできるようにした干渉低周波治療器用切換ボックス装置を提供することにある。
【０００７】
【課題を解決するための手段】
前記第１の目的を達成するため、本発明はその第１の解決手法として次のようにしてある。すなわち、特許請求の範囲における請求項１に記載のように、
それぞれ高周波電気信号を出力する一対の出力部を有する３組以上の高周波発生手段と、
前記高周波発生手段の組数の倍数以上の数だけ設けられ、それぞれ導子が着脱自在に接続される外部接続端子と、
前記高周波発生手段の各出力部を前記各外部出力端子に個別に接続すると共に、該出力部と外部接続端子との接続関係を変更する切換手段と、
前記切換手段の切換を制御する制御手段と、
を備え、
前記３組以上の高周波発生手段で発生される高周波電気信号の周波数が、全体として３種類以上となるように設定されている、
ようにしてある。
【０００８】
上記解決手法によれば、患者体表面への導子の配設位置は同じであっても、切換手段によって切換えを行うことにより、対となる導子の関係が変更されて干渉部位が変化されることになり、刺激部位を変化させることができる。また、干渉箇所も１カ所あるいは２カ所以上と変更することも可能となる。
以上に加えて、切換手段を制御する制御手段を設けてあるので、刺激部位あるいは刺激部位数をどのように変化させるかの融通性（自由度）の高いものとなる。例えば、刺激部位や刺激部位数の変更を、自動、反自動あるいはマニュアル式の任意の手法で行うように適宜設定することができ、またはこれらの変更手法の２つ以上の組み合わせの間での選択（切換）が適宜行える等のことが可能になる。
このように、刺激部位を変化させることは、より広い範囲にわたって刺激を与えることができるばかりでなく、同じ部位に刺激を与え続けてしまことを防止する上でも好ましいものとなる。また、刺激部位を変化させて、もっとも刺激効果の高い位置が確認された後は、この状態でもって切換手段の切換態様を維持する等のことも可能になる。
【０００９】
上記解決手法を前提とした好ましい態様は、特許請求の範囲における請求項２および請求項３に記載のとおりである。すなわち、
前記高周波発生手段の組数が３組とされ、
前記外部接続端子の数が、前記高周波発生手段の組数の倍数に設定され、
前記各高周波発生手段で発生される高周波電気信号の周波数が、互いに相違するように設定されて全体で３種類となるように設定されている、
ようにすることができる（請求項２対応）。この場合、従来からある６極干渉用（対となる導子が３組の）干渉低周波治療器を用いて、請求項１に対応した効果を得ることができる。
【００１０】
前記高周波発生手段の組数が３組とされ、
前記外部接続端子の数が、前記高周波発生手段の組数の倍数よりも大きい数に設定され、
前記３組の高周波発生手段で発生される高周波電気信号の周波数が、互いに相違するように設定されて全体で３種類となるように設定されている、
ようにすることができる（請求項３対応）。この場合、従来からある６極干渉用（対となる導子が３組の）干渉低周波治療器を用いて、請求項２に対応した場合よりも、刺激部位をより広範囲に変化させることが可能になる。
【００１１】
前記第１の目的を達成するため、本発明はその第２の解決手法として次のようにしてある。すなわち、特許請求の範囲における請求項４に記載のように、
それぞれ高周波電気信号を出力する一対の出力部を有する２組の高周波発生手段と、
前記高周波発生手段の組数の倍数よりも大きい数だけ設けられ、それぞれ導子が着脱自在に接続される外部接続端子と、
前記高周波発生手段の各出力部を前記各外部出力端子に個別に接続すると共に、該出力部と外部接続端子との接続関係を変更する切換手段と、
前記切換手段の切換を制御する制御手段と、
を備え、
前記２組の高周波発生手段で発生される高周波電気信号の周波数が、互いに相違するように設定されて全体として２種類となるように設定されている、
ようにしてある。
【００１２】
上記解決手法によれば、高周波発生手段の数を干渉低周波治療器としては必要最小限の２組としつつ、患者体表面への導子の配設位置は同じであっても、切換手段によって切換えを行うことにより、対となる導子の関係が変更されて干渉部位が変化されることになり、刺激部位を変化させることができる。
【００１３】
前記第１の解決手法および第２の解決手法を前提として好ましい態様は、特許請求の範囲における請求項５〜請求項１４に記載のとおりである。すなわち、
前記制御手段は、前記出力部と外部接続端子との接続関係を自動的に順次切換えるように制御する、ようにすることができる（請求項５対応）。この場合、刺激部位を自動的に順次変更する治療を行うことができる。
【００１４】
前記切換手段による切換をマニュアル指令する切換指令スイッチを備え、
前記制御手段は、前記切換指令スイッチが操作されたときに、前記出力部と外部接続端子との接続関係を切換えるように設定されている、
ようにすることができる（請求項６対応）。この場合、刺激部位を、患者の要請に応じて簡単に順次変更することができる。
【００１５】
前記出力部と外部接続端子との接続関係をマニュアル選択する選択指令スイッチと、
前記選択指令スイッチが操作されたときの前記出力部と外部接続端子との接続関係を記憶しておく記憶手段と、
をさらに備え、
前記制御手段は、前記記憶手段に記憶を行わせる機会を与えるために前記切換手段がとり得る接続関係を自動的に順次切換える第１制御手段と、該第１制御手段の制御終了後に、該記憶手段に記憶されている接続関係となるように前記切換手段を制御する第２制御手段とを有している、
ようにすることができる（請求項７対応）。この場合、患者にとって好ましい刺激部位をあらかじめ選択して（第１制御手段と記憶手段の利用）、この選択された好ましい刺激部位に対して集中的に治療を行うことができる。
【００１６】
前記記憶手段が、１つの接続関係を記憶するように設定され、
前記第２制御手段が、前記記憶手段に記憶されている１つの接続関係となるように前記切換手段を制御する、
ようにすることができる（請求項８対応）。この場合、あらかじめ選択されたもっとも好ましい１つの刺激部位に対してのみ、集中して治療を行うことができる。
【００１７】
前記記憶手段が、２以上の接続関係を記憶するように設定され、
前記第２制御手段が、前記記憶手段に記憶されている複数の接続関係が自動的に順次切換わるように前記切換手段を制御する、
ようにすることができる（請求項９対応）。この場合、あらかじめ選択された好ましい複数の刺激部位の範囲でもって、刺激部位を自動的に順次変更することができる。
【００１８】
所定時間だけ、高周波電気信号同士の干渉を生じさせない無干渉状態をもとり得るようにされている、ようにすることができる（請求項１０対応）。この場合、刺激を与えない時間帯を設けることにより、患者が刺激に対して慢性化してしまうような事態を防止して、治療効果を高める上で好ましいものとなる。
【００１９】
前記切換手段が、前記高周波発生手段を内蔵した干渉低周波治療器本体の内部に設けられ、
前記外部接続端子が、前記干渉低周波治療器本体の外面に設けられている、
ようにすることができる（請求項１１対応）。この場合、切換手段を覆うためのケーシングを、干渉低周波治療器本体そのもので兼用することができる。
【００２０】
外面に前記高周波発生手段に接続される入力端子および前記外部接続端子を有すると共に、内部に該入力端子と外部接続端子との接続関係を変更する前記切換手段が設けられたケーシングを備え、
前記ケーシングが、前記高周波発生手段を内蔵した干渉低周波治療器本体の外部に設けられている、
ようにすることができる（請求項１２対応）。この場合、既存の干渉低周波治療器を有効に利用しつつ、本発明を実施化することが可能となる。
【００２１】
前記切換手段が、複数の切換スイッチによって構成されている、ようにすることができる（請求項１３対応）。この場合、切換手段を、電磁式のスイッチを利用して簡単かつ安価に構成することができる。
【００２２】
前記導子が、２個づつ吸引カップ内に装備され、
前記切換手段による接続関係の切換えが、前記吸引カップ内の２つの導子の間で行われる、
ようにすることができる（請求項１４対応）。この場合、どの導子の間で接続関係が変更されるかを容易に把握する上で好ましいものとなる。
【００２３】
前記第１の目的を達成するため、本発明はその第３の解決手法として次のようにしてある。すなわち、特許請求の範囲における請求項１５に記載のように、
それぞれ高周波電気信号を出力する一対の出力部を有する３組以上の高周波発生手段と、
前記高周波発生手段の組数の倍数以上の数だけ設けられ、それぞれ導子が着脱自在に接続される外部接続端子と、
前記高周波発生手段の各出力部を前記各外部出力端子に個別に接続すると共に、該出力部と外部接続端子との接続関係をマニュアル操作に応じて変更する切換手段と、
を備え、
前記３組以上の高周波発生手段で発生される高周波電気信号の周波数が、全体として３種類以上となるように設定されている、
ようにしてある。上記解決手法によれば、制御手段を有しない場合を除き、請求項１に対応した効果と同様の効果を得ることができる。
【００２４】
前記第１の目的を達成するため、本発明はその第４の解決手法として次のようにしてある。すなわち、特許請求の範囲における請求項１６に記載のように、
それぞれ高周波電気信号を出力する一対の出力部を有する２組の高周波発生手段と、
前記高周波発生手段の組数の倍数よりも大きい数だけ設けられ、それぞれ導子が着脱自在に接続される外部接続端子と、
前記高周波発生手段の各出力部を前記各外部出力端子に個別に接続すると共に、該出力部と外部接続端子との接続関係をマニュアル操作に応じて変更する切換手段と、
を備え、
前記２組の高周波発生手段で発生される高周波電気信号の周波数が、互いに相違するように設定されて全体として２種類となるように設定されている、
ようにしてある。上記解決手法によれば、制御手段を有しないことを除いて、請求項４に対応した効果と同様の効果を得ることができる。
【００２５】
前記第２の目的を達成するため、本発明はその第１の解決手法として次のようにしてある。すなわち、特許請求の範囲における請求項１７に記載のように、
干渉低周波治療器に接続して使用される干渉低周波治療器用切換ボックス装置であって、
ケーシングの外面に、２個一対となる入力端子が３組以上設けられると共に、導子が着脱自在に接続される外部接続端子が該入力端子の合計数以上の数だけ設けられ、
ケーシング内には、前記各入力端子と前記外部接続端子とを接続すると共に、該入力端子と外部接続端子との接続関係を変更する切換手段が設けられている、ようにしてある。上記解決手法によれば、既存の６極以上の干渉低周波治療器を利用して、請求項１に対応した干渉低周波治療器を簡単に構成することができる。
【００２６】
前記第２の目的を達成するため、本発明はその第２の解決手法として次のようにしてある。すなわち、特許請求の範囲における請求項１８に記載のように、
干渉低周波治療器に接続して使用される干渉低周波治療器用切換ボックス装置であって、
ケーシングの外面に、２個一対となる入力端子が２組設けられると共に、導子が着脱自在に接続される外部接続端子が該入力端子の合計数よりも大きい数だけ設けられ、
ケーシング内には、前記各入力端子と前記外部接続端子とを接続すると共に、該入力端子と外部接続端子との接続関係を変更する切換手段が設けられている、ようにしてある。上記解決手法によれば、既存の４極干渉の干渉低周波治療器を利用して、請求項４に対応した干渉低周波治療器を簡単に構成することができる。
【００２７】
【発明の効果】
本発明によれば、患者体表面に対する導子の配設位置を変更することなく、刺激部位を容易に変更することができる（請求項１〜請求項１６）。また、既存の干渉低周波治療器を有効に利用しつつ、上記効果を得ることが可能になる（請求項１７、請求項１８）。
【００２８】
【発明の実施の形態】
図１において、Ｋ１は干渉低周波治療器の本体ケーシングである。この本体ケーシングＫ１は、図１では、波線によって模式的に示してある。本体ケーシングＫ１内には、高周波発生手段としての出力回路１、２、３が配設されている。出力回路１〜３は、それぞれ、対となる高周波電気信号を２種類づつ出力するものとなっている。すなわち、出力回路１は、第１チャネル用であり、対となる第１の種類の高周波電気信号Ａ１、Ａ２と、対となる第２の種類の高周波電気信号Ｂ１、Ｂ２を出力するものとなっている。出力回路２は、第２チャネル用であり、対となる第１の種類の高周波電気信号Ｃ１、Ｃ２と、対となる第２の種類の高周波電気信号Ｄ１、Ｄ２を出力するものとなっている。出力回路３は、第３チャネル用であり、対となる第１の種類の高周波電気信号Ｅ１、Ｅ２と、対となる第２の種類の高周波電気信号Ｆ１、Ｆ２を出力するものとなっている。
【００２９】
本体ケーシング１の外面には、その一部が外部に露出するようにして、合計１２個の出力端子１１ａ、１１ｂ、１２ａ、１２ｂ・・・・・１６ａ、１６ｂが配設されている。出力回路１に関連して、出力端子１１ａに対しては、出力回路１からの高周波電気信号Ａ１が印加されるように固定設定され、出力端子１１ｂに対しては、出力回路１からの高周波電気信号Ａ２が印加されるように固定設定されている。また、出力端子１２ａに対しては、出力回路２からの高周波電気信号Ｂ１が印加されるように固定設定され、出力端子１２ｂに対しては、出力回路１からの高周波電気信号Ｂ２が印加されるように固定設定されている。
【００３０】
出力回路２に関連して、出力端子１３ａに対しては、出力回路２からの高周波電気信号Ｃ１が印加されるように固定設定され、出力端子１３ｂに対しては、出力回路２からの高周波電気信号Ｃ２が印加されるように固定設定されている。また、出力端子１４ａに対しては、出力回路２からの高周波電気信号Ｄ１が印加されるように固定設定され、出力端子１４ｂに対しては、出力回路２からの高周波電気信号Ｄ２が印加されるように固定設定されている。
【００３１】
出力回路３に関連して、出力端子１５ａに対しては、出力回路３からの高周波電気信号Ｅ１が印加されるように固定設定され、出力端子１５ｂに対しては、出力回路３からの高周波電気信号Ｅ２が印加されるように固定設定されている。また、出力端子１６ａに対しては、出力回路３からの高周波電気信号Ｆ１が印加されるように固定設定され、出力端子１６ｂに対しては、出力回路３からの高周波電気信号Ｆ２が印加されるように固定設定されている。
【００３２】
このように、実施形態では、各出力端子１１ａ、１１ｂ〜１６ａ、１６ｂが、実質的に、高周波発生手段としての出力回路１〜３の出力部１ａ、２ａあるいは３ａを兼用するように設定されている（図１では出力部１ａ〜３ａがそれぞれ１つに描かれているが、実際には４カ所づつ存在する）。また、各出力回路１〜３は、それぞれ、単独で２極干渉が行えるように、対となる高周波電気信号を２組分出力するように設定されている。
【００３３】
上記高周波電気信号の周波数は、例えば次のように設定されている。まず、対となる高周波電気信号Ａ１、Ａ２は、高周波の周波数「Ｈ」とされる。対となる高周波電気信号Ｂ１、Ｂ２の周波数は、高周波の周波数「Ｈ＋α」（αは低周波）とされる。対となる高周波電気信号Ｃ１、Ｃ２の周波数は、高周波の周波数「Ｈ＋２α」（αは低周波）とされる。対となる高周波電気信号Ｄ１、Ｄ２の周波数は、高周波の周波数「Ｈ−α」（αは低周波）とされる。対となる高周波電気信号Ｅ１、Ｅ２の周波数は、Ａ１、Ａ２と同じ周波数「Ｈ」とされる。対となる高周波電気信号Ｆ１、Ｆ２の周波数は、Ｂ１、Ｂ２と同じ周波数「Ｈ＋α」（αは低周波）とされる。
【００３４】
このように、各チャネル毎の２組の高周波電気信号の周波数は、低周波数分だけ相違するように設定される。また、後述するように、６極干渉のために同時使用される接続端子１１ａ、１１ｂと１２ａ、１２ｂと１３ａ、１３とは、互いに低周波数だけ相違するように、それぞれ相違する周波数とされている。さらに、第３チャネルは、単独での使用のみなので、他のチャネルの有する周波数と同じ周波数を設定するようにして、発生周波数の種類が極力少なくなるように設定されている。
【００３５】
本体ケーシングＫ１の外面には、３つの出力回路１、２、３に対応して、マニュアル操作される出力調整スイッチ（ボリューム）ＶＲ１、ＶＲ２、ＶＲ３が装備されている。また、本体ケーシングＫ１の外面には、マニュアル操作されるモード切換（選択）スイッチＳＷ１が装備されている。このモード切換スイッチＳＷ１は、各出力回路１〜３を個々独立して使用する４極干渉の低周波治療用となる単独モードと、出力回路１に加えて出力回路２の一部を利用して６極干渉の低周波治療を行う共同モードとの切換えを行うものである。なお、出力回路３は、常に４極干渉の低周波治療専用として使用される。
【００３６】
本体ケーシングＫ１内には、マイクロコンピュータを利用して構成されたコントローラＵ１が装備されている。このコントローラＵ１は、出力調整スイッチＶＲ１〜ＶＲからの入力を受けて、出力回路１、２、３に目標出力を与えるものとなっている。すなわち、モード切換スイッチＳＷ１によって、前述の単独モードが選択されているときは、出力調整スイッチＶＲ１によって出力回路１の出力調整が行われ、出力調整スイッチＶＲ２によって出力回路２の出力調整が行われ、出力調整スイッチＶＲ３によって出力回路３の出力調整が行われる。モード切換スイッチＳＷ１によって前述の共同モードが選択されているときは、出力調整スイッチＶＲ１によって、出力回路１と２との出力調整が行われる（出力回路１と２との出力の大きさが同じとされる）。
【００３７】
図２において、Ｊ１〜Ｊ６は、患者体表面に装備される導子である。この導子はＪ１〜Ｊ６は、既知のように吸引キャップ内に装備されて、吸引キャップの吸引力を利用して患者体表面から容易には移動あるいは脱落しないように配設される。また、図２において、Ｋ２は、切換手段を構成する切換装置である。この切換装置Ｋ２内には、例えばリレースイッチ等の複数の電磁式あるいは電子式等の切換スイッチが装備されている。
【００３８】
上記切換装置Ｋ２のケーシング外面には、各導子Ｊ１〜Ｊ６の数に応じた数となる６個の外部接続端子Ｍ１〜Ｍ６が装備されると共に、前述した接続端子１１ａ、１１ｂ〜１３ａ、１３ｂの数に応じた数となる６個の入力端子Ｎ１〜Ｎ６が装備されている。この各端子Ｍ１〜Ｍ６とＮ１〜Ｎ６との接続関係が変更可能とされるが、そのための具体的な回路構成が、図３に示される。この図３において、切換装置Ｋ２内には、合計３個の電磁式のリレースイッチＲ１〜Ｒ３が装備されている。
【００３９】
上記リレースイッチＲ１は、外部接続端子Ｍ１、Ｍ２と入力端子Ｎ１、Ｎ２との間での接続関係の変更用となっている（Ｍ１とＮ１が接続されると共にＭ２とＮ２とが接続された状態と、Ｍ１とＮ２とが接続されると共にＭ２とＮ１とが接続された状態との間での切換）。リレースイッチＲ２は、外部接続端子Ｍ３、Ｍ４と入力端子Ｎ３、Ｎ４との間での接続関係の変更用となっている。リレースイッチＲ３は、外部接続端子Ｍ５、Ｍ６と入力端子Ｎ５、Ｎ６との間での接続関係の変更用となっている。
【００４０】
外部接続端子Ｍ１〜Ｍ６に対して、配線を介して導子Ｊ１〜Ｊ６が個々に着脱自在に接続されるが、その接続例が図３に示される。また、入力端子Ｎ１〜Ｎ６に対して、前述の接続端子１１ａ、１１ｂ〜１３ａ〜１３ｂが個々に接続されるが、その接続例が図３に示される。図３の接続例では、導子Ｊ１〜Ｊ６が、略円周上において略等間隔に配設された状態が示される。そして、リレースイッチＲ１が導子Ｊ１とＪ６との間での印加される高周波電気信号の変更用となり、リレースイッチＲ２が導子Ｊ２とＪ３との間での印加される高周波電気信号の変更用となり、リレースイッチＲ３が導子Ｊ４とＪ５との間での印加される高周波電気信号の変更用となっている。
【００４１】
図３は、各リレースイッチＲ１〜Ｒ３が全てＯＦＦの場合が示される。この状態では、導子Ｊ１に高周波電気信号Ａ１が印加され、導子Ｊ２に高周波電気信号Ｃ１が印加され、導子Ｊ３に高周波電気信号Ｂ２が印加され、導子Ｊ４に高周波電気信号Ａ２が印加され、導子Ｊ５に高周波電気信号Ｃ２が印加され、導子Ｊ６に高周波電気信号Ｂ１が印加される。つまり、対となる高周波電気信号Ａ１とＡ２とが１８０度対角線上に与えられ、対となる高周波電気信号Ｂ１とＢ２とが１８０度対角線上に与えられ、対となる高周波電気信号Ｃ１とＣ２とが１８０度対角線上に与えられる。
【００４２】
図３に示すような３組の高周波電気信号Ａ１、Ａ２〜Ｃ１、Ｃ２の上述のような印加の態様では、対となる導子（高周波電気信号）の交差部あるいはその付近が、円周上に配設された導子Ｊ１〜Ｊ６の略中心位置の１カ所となり、この中心の１カ所が、高周波電気信号の干渉が生じる干渉部位（治療部位）Ｔ１となる。
【００４３】
図３の状態から、リレースイッチＲ１のみをＯＮに切換えると、２つの導子Ｊ１とＪ６との間で、印加される高周波電気信号の種類が変更される。このとき、干渉部位は、全体としてＴ２とＴ３との２カ所となり、しかも干渉部位Ｔ２、Ｔ３は、図３の干渉部位Ｔ１とは相違した位置となる。
【００４４】
同様に、図５は、リレースイッチＲ２のみをＯＮに切換えた場合である。この場合は、図４の場合と同様に、干渉部位はＴ４とＴ５の２カ所となる。図６は、リレースイッチＲ３のみをＯＮに切換えた場合である（干渉部位はＴ６、Ｔ７の２カ所）。図７は、リレースイッチＲ１およびＲ２をＯＮに切換えた場合である。この場合は、干渉部位はＴ８の１カ所となる。図８は、リレースイッチＲ２、Ｒ３をＯＮに切換えた場合である。この場合は、干渉部位はＴ９の１箇所となる。図９は、リレースイッチＲ１とＲ３をＯＮに切換えた場合である。この場合は、干渉部位はＴ１０の１カ所となる。図１０は、リレースイッチＲ１〜Ｒ３の全てをＯＮに切換えた場合である。この場合は、干渉部位は存在しないものとなる。なお、前述した干渉部位Ｔ１〜Ｔ１０は、その位置が互いに相違した位置である。
【００４５】
図３〜図１０に示す複数の切換態様（接続関係）を自動的に切換制御するために、マイクロコンピュータを利用して構成されたコントローラＵ２が装備される。このコントローラＵ２は、切換装置Ｋ２と共に、干渉低周波治療器の本体ケーシングＫ１の外部に装備されるもので、コントローラＵ１からの制御信号を受ける。すなわち、モード切換スイッチＳＷ１が、６極干渉を行うための共同モードが選択されたときに、この共同モードが選択されたことを示す信号がコントローラＵ２に出力されるようになっている。
【００４６】
コントローラＵ２による切換装置Ｋ２の制御例について、図１１のフローチャートを参照しつつ説明するが、以下の説明でＱはステップを示す。まず、Ｑ１において、コントローラＵ１から、６極干渉を行う共同モードが選択されたことの信号を受けた（出力調整スイッチＶＲ１が、２つの出力回路１と２との兼用として使用される状態）ことが確認されると、Ｑ２において、全てのリレースイッチＲ１〜Ｒ３がＯＦＦとされる（図３の状態）。この後、Ｑ３において、リレースイッチＲ１〜Ｒ３が、例えば図３、図４、図５・・・・・図１０の状態という順序で、所定時間毎に（例えば１０秒毎）順次切換制御される。これにより、治療部位となる干渉部位が、自動的に変更されることになる。なお、出力調整は、１つの出力調整スイッチＶＲ１のみによって行われることになる。
【００４７】
Ｑ３の後、Ｑ４において、図示を略すマニュアル操作される治療時間設定タイマで設定された治療時間が経過したか否かが判別される。このＱ４の判別でＮＯのときは、Ｑ５において、マニュアル操作される選択スイッチＳＷ２（図２参照）がＯＮ操作されたか否かが判別される。このＱ５の判別でＮＯのときは、上述の順次自動切換制御が続行される。Ｑ５の判別でＹＥＳのときは、Ｑ６において、上記選択スイッチＳＷ２がＯＮされたときに実行されている特定の１つの切換態様に固定される（順次の自動切換なし）。
【００４８】
Ｑ６の後、Ｑ７において、前述の設定された治療時間が経過したか否かが判別される。このＱ７の判別でＮＯのときは、Ｑ８において、マニュアル操作される固定制御の解除を指令するための解除スイッチＳＷ３（図２参照）がＯＮされたか否かが判別される。このＱ８の判別でＮＯのときは、Ｑ６の制御がそのまま続行されて、特定の１つの切換態様のままとされる。Ｑ８の判別でＹＥＳのときは、上記特定の１つの切換態様とする制御が解除されて、Ｑ３における順次自動切換の制御へと復帰される。Ｑ４あるいはＱ７の判別でＹＥＳのときは、治療終了ということで、制御が終了される。
【００４９】
図１２は、コントローラＵ２の別の制御例を示すものである。本制御例では、複数ある切換態様の中から１つあるいは複数の切換態様をあらかじめマニュアル選択させて、このマニュアル選択された１つあるいは複数の切換態様の中で自動順次切換えを行うようにしたものである。まず、図１１のＱ１に対応するＱ２１の判別でＹＥＳとなると、Ｑ２２において、例えば全てのリレースイッチＲ１〜Ｒ３がＯＦＦとされる。この後、Ｑ２３において、マニュアル操作される選択スイッチＳＷ４（図２参照）がＯＮ操作されか否かが判別される。このＱ２３の判別でＹＥＳのときは、Ｑ２４において、選択スイッチＳＷ４がＯＮされたときの切換態様が記憶手段（メモリ）に記憶された後、Ｑ２６に移行される。
【００５０】
Ｑ２３の判別でＮＯのときは、Ｑ２２での切換態様選択時から所定時間（例えば３〜５秒）経過したか否かが判別される。このＱ２５の判別でＮＯのときはＱ２３に戻る（選択する余裕時間の設定）。Ｑ２５の判別でＹＥＳのときは、Ｑ２６に移行される。
【００５１】
Ｑ２６では、リレースイッチＲ１〜Ｒ３のＯＮ、ＯＦＦの次の組み合わせへの変更が行われる。この後、Ｑ２７において、リレースイッチＲ１〜Ｒ３のＯＮ、ＯＦＦの全ての組み合わせが提供されたか否かが判別される。このＱ２７の判別でＮＯのときは、Ｑ２３に戻る。このようにして、全ての切換態様の中から、患者が好む１つあるいは複数の特定の切換態様が、記憶手段に記憶されることになる。
【００５２】
Ｑ２７の判別でＹＥＳのときは、Ｑ２８において、好みの切換態様が患者によって選択済みなので、記憶手段に記憶されている１つあるいは複数の特定の切換態様の範囲でもって、順次自動切換えが行われる。Ｑ２８の後、Ｑ２９において、あらかじめ設定された治療時間が経過したか否かが判別される。このＱ２９のＮＯのときは、Ｑ２８の制御が続行される。Ｑ２９の判別でＹＥＳのときは、治療時間が経過したということで、制御が終了される。
【００５３】
図１３〜図１５は、図３〜図１０に示す以外に考えられる干渉部位の設定例を示すものである（干渉部位が、Ｔ１１、Ｔ１２あるいはＴ１３で示される）。ただし、図１３〜図１５に示すような干渉部位は、図３に示す回路構成のままでは得られないので、リレースイッチの追加や接続関係の変更等を要する。
【００５４】
図１６〜図１８は、２個対となる導子を合計４対設けた場合において、８極干渉を行う場合で、しかも対となる高周波電気信号として互いに周波数が相違する４組用いた場合において、干渉部位の変更例を示すものである。すなわち、合計８個の導子Ｊ１〜Ｊ８は、２個一対として１つの吸引キャップＬ１、Ｌ２、Ｌ３あるいはＬ４内に配設されている。そして、この１つの吸引キャップＬ１（Ｌ２、Ｌ３、Ｌ４）内にある２つの導子の間で、印加される高周波電気信号の種類を変更するようにしてある。図１６は、１つの干渉部位Ｔ２１を得る場合が示される。図１７は、図１６の例から、導子Ｊ１とＪ２との間でのみ、印加される高周波電気信号の種類を変更したときに得られる干渉部位を示すものであり、干渉部位は、Ｔ２２〜Ｔ２６の合計５カ所となる。
【００５５】
図１８は、図１７の状態から、導子Ｊ３とＪ４との間でのみ、印加される高周波電気信号の種類を変更した場合に得られる干渉部位を示すものであり、干渉部位は、Ｔ２７〜Ｔ３０の合計４カ所となる。このような図１６〜図１８に示すような複数の切換態様の間で、適宜切換制御を行って、干渉部位の変更や干渉部位の数の変更を行えばよい。なお、このような切換を行うための切換装置の具体例（例えばリレースイッチを利用した接続関係の設定）は、適宜構成できるので、図３に示すような具体例については省略する。
【００５６】
図１９〜図２２は、それぞれ、６極干渉でかつ導子を８個とした場合において、対となる導子の対応関係の変更例を示すものであり、その干渉部位が、図１９ではＴ３１、Ｔ３２で示され、図２０ではＴ３３で示され、図２１ではＴ３４、Ｔ３５で示され、図２２ではＴ３６、Ｔ３７で示される。
【００５７】
図２３〜図２５は、４極干渉を行う場合で、導子をＪ１〜Ｊ８の８個設けた場合を示す。本例では、各切換態様では、高周波電気信号が印加される導子の数は合計４個であって、残りの４個は高周波電気信号が印加されない状態とされる。つまり、２個一対となる導子の数よりも大きい数の導子が用いられて、実際に高周波電気信号が印加される導子を変更することによって、干渉部位を変更するようになっている。
【００５８】
図２３の切換態様では、Ｊ４とＪ７とが実際に高周波電気信号が印加される一対の導子を構成し、同様にＪ３とＪ８とが実際に高周波電気信号が印加されるもう一対の導子を構成する。そして、干渉部位は、Ｔ４１で示される。
【００５９】
図２４の切換態様では、Ｊ３とＪ６とが実際に高周波電気信号が印加される一対の導子を構成し、同様にＪ２とＪ７とが実際に高周波電気信号が印加されるもう一対の導子を構成する。そして、干渉部位は、図２３の場合よりも上方位置となるＴ４２となる。
【００６０】
図２５の切換態様では、Ｊ２とＪ５とが実際に高周波電気信号が印加される一対の導子を構成し、同様にＪ１とＪ６とが実際に高周波電気信号が印加されるもう一対の導子を構成する。そして、干渉部位は、図２４の場合よりも上方位置となるＴ４３となる。
【００６１】
【００６２】
以上実施形態について説明したが、本発明はこれに限らず例えば次のような場合をも含むものである。図１〜図３に示す切換装置Ｋ２は、干渉低周波治療器の本体ケーシングＫ１の外部に装備する場合、つまり既存の干渉低周波治療器に追加で機能追加することのできる実施形態を示してあるが、切換装置Ｋ２を本体ケーシングＫ１内に装備することもできる。この場合は、接続端子１１ａ、１１ｂ〜１６ａ、１６ｂが、導子が着脱自在に接続される外部接続端子を構成することになる。また、コントローラＵ２の機能を、本体ケーシングＫ１内のコントローラＵ１に持たせるようにして、コントローラを１つに統合することもできる。
【００６３】
図１１の制御例において、自動順次切換のみを制御を行うようにしてもよい（Ｑ５〜Ｑ８のステップが不要）。また、Ｑ５〜Ｑ６の制御を行うようにする一方、Ｑ８の解除の制御を行わないようにしてもよい。
【００６４】
図１２の制御例において、Ｑ２３での選択スイッチＳＷ３は、Ｑ２８で行う切換制御には含ませない切換態様を選択するものであってもよい。すなわち、選択スイッチＳＷ３は、切換態様の切換えには用いない切換態様を選択するものであって（排除する切換態様の選択となる）、Ｑ２４での記憶内容は、Ｑ２３で選択スイッチＳＷ３がＯＮされたときの切換態様を除外する内容のものであってもよい。
【００６５】
複数の切換態様をあらかじめ設定する場合、切換装置Ｋ２で選択可能な全ての切換態様を設定する必要はなく、例えば切換装置Ｋ２で選択可能な切換態様のうち一部の切換態様の範囲でもって切換制御するようにしてもよい。特に、８極干渉以上の場合は、導子の数が極めて多くなる一方、とり得る切換態様の数は極めて多くなるので、切換装置Ｋ２の簡素化や制御の複雑さを避けるために、とり得る全切換態様のうち一部の切換態様に限定して切換制御を行うのが好ましい。さらに、とり得る複数の切換態様の中から最終的に選択された１つの切換態様のみでもって治療を行うように設定することもできる（例えば、図１２のＱ２４で記憶される切換態様は、選択スイッチＳＷ３が操作されたときの最新の１つの切換態様のみとする）。
【００６６】
図２３〜図２５の例から理解されるように、用いる導子の全てに高周波電気信号を印加する必要はないものである。つまり、導子の数は、対となる高周波電気信号の組数の倍数は必要ではあるが、導子の数はこの倍数分以上の数とすることができる。また、実施形態で示した導子の配列例は、干渉部位が変更される様子を明瞭に示すために採択したものであって、導子の配設の仕方そのものは、治療部位等に応じて適宜変更できるものである（特に導子を平面的に限らず立体的に配置することもできる）。
【００６７】
用いる高周波電気信号の種類は、干渉のために２組以上あればよく、導子の数の半数に設定する必要はない。例えば、８極干渉の場合、対となる導子の数は少なくとも４組（導子全体では８個）必要であるが、用いる高周波電気信号の種類を例えば３種類に設定することもできる。ただしこの場合は、対となる導子を結ぶ線が交差する部分に干渉を生じない場合もあり得る。
【００６８】
制御手段としてのコントローラＵ２を有しない場合であってもよい。すなわち、切換態様の切換を、マニュアル操作されるスイッチによって行うようにすることもできる。この場合は、例えば、あまり刺激効果がないと体感した切換態様については即座に切換指令スイッチをマニュアル操作することによりスキップさせて次の切換態様に変更し、刺激効果が良好であると体感した切換態様については比較的長時間その状態を維持し、刺激が慢性化してきたら次の切換態様に切換える等、患者の好みに応じた切換態様とすることができる。
【００６９】
刺激の慢性化を防止するために、干渉を生じさせない時間帯を設定することもできる。この場合、干渉を生じさせない時間帯では、切換態様そのものが干渉を生じさせない場合であってもよく（出力回路回路からの出力はあり）、あるいは出力回路からの出力そのものを一時的に中断するようにすることもできる（この場合、切換態様そのものは干渉を生じさせることが可能であってもよく、干渉を生じさせることのできない切換態様であってもよい）。勿論、本発明の目的は、明記されたものに限らず、実質的に好ましいあるいは利点として表現されたものを提供することをも暗黙的に含むものである。
【図面の簡単な説明】
【図１】本発明の一例を示す干渉低周波治療器本体側の系統図。
【図２】干渉低周波治療器に接続して使用される切換装置部分を示す系統図。
【図３】切換装置と導子との接続例を示す系統図。
【図４】切換装置の切換態様の変更に伴う干渉部位の変更を示す図。
【図５】切換装置の切換態様の変更に伴う干渉部位の変更を示す図。
【図６】切換装置の切換態様の変更に伴う干渉部位の変更を示す図。
【図７】切換装置の切換態様の変更に伴う干渉部位の変更を示す図。
【図８】切換装置の切換態様の変更に伴う干渉部位の変更を示す図。
【図９】切換装置の切換態様の変更に伴う干渉部位の変更を示す図。
【図１０】切換装置の切換態様の変更に伴う干渉部位の変更を示す図。
【図１１】切換態様変更のための制御例を示すフローチャート。
【図１２】切換態様変更のための別の制御例を示すフローチャート。
【図１３】切換装置の切換態様の変更に伴う干渉部位の変更を示す図。
【図１４】切換装置の切換態様の変更に伴う干渉部位の変更を示す図。
【図１５】切換装置の切換態様の変更に伴う干渉部位の変更を示す図。
【図１６】切換装置の切換態様の変更に伴う干渉部位の変更を示す図。
【図１７】切換装置の切換態様の変更に伴う干渉部位の変更を示す図。
【図１８】切換装置の切換態様の変更に伴う干渉部位の変更を示す図。
【図１９】切換装置の切換態様の変更に伴う干渉部位の変更を示す図。
【図２０】切換装置の切換態様の変更に伴う干渉部位の変更を示す図。
【図２１】切換装置の切換態様の変更に伴う干渉部位の変更を示す図。
【図２２】切換装置の切換態様の変更に伴う干渉部位の変更を示す図。
【図２３】切換装置の切換態様の変更に伴う干渉部位の変更を示す図。
【図２４】切換装置の切換態様の変更に伴う干渉部位の変更を示す図。
【図２５】切換装置の切換態様の変更に伴う干渉部位の変更を示す図。
【符号の説明】
Ｋ１：干渉低周波治療器の本体ケーシング
Ｋ２：切換装置（切換手段）
Ｕ１：コントローラ
Ｕ２：コントローラ
Ａ１、Ａ２：一対の高周波電気信号
Ｂ１、Ｂ２：一対の高周波電気信号
Ｃ１、Ｃ２：一対の高周波電気信号
Ｄ１、Ｄ２：一対の高周波電気信号
Ｅ１、Ｅ２：一対の高周波電気信号
Ｆ１、Ｆ２：一対の高周波電気信号
Ｊ１〜Ｊ６：導子
ＳＷ１〜ＳＷ４：マニュアルスイッチ
Ｍ１〜Ｍ６：外部接続端子
ＮＩ〜Ｎ６：入力端子
Ｒ１〜Ｒ３：リレースイッチ
Ｔ１〜４３：干渉部位
１〜３：出力回路（高周波発生手段）
１ａ〜３ａ：出力部
１１ａ、１１ｂ〜１６ａ、１６ｂ：接続端子
【図１】
2004290219.tif 000003
【図２】
2004290219.tif 000004
【図３】
2004290219.tif 000005
【図４】
2004290219.tif 000006
【図５】
2004290219.tif 000007
【図６】
2004290219.tif 000008
【図７】
2004290219.tif 000009
【図８】
2004290219.tif 000010
【図９】
2004290219.tif 000011
【図１０】
2004290219.tif 000012
【図１１】
2004290219.tif 000013
【図１２】
2004290219.tif 000014
【図１３】
2004290219.tif 000015
【図１４】
2004290219.tif 000016
【図１５】
2004290219.tif 000017
【図１６】
2004290219.tif 000018
【図１７】
2004290219.tif 000019
【図１８】
2004290219.tif 000020
【図１９】
2004290219.tif 000021
【図２０】
2004290219.tif 000022
【図２１】
2004290219.tif 000023
【図２２】
2004290219.tif 000024
【図２３】
2004290219.tif 000025
【図２４】
2004290219.tif 000026
【図２５】
2004290219.tif 000027